(57)【要約】【課題】大量に保存された録画データを、主にモバイル環境において、効率よく活用するための情報処理装置、情報処理方法及びプログラムを提供すること。【解決手段】携帯電話２０は、コンテンツを録画する録画装置からデータを受信可能な構成となっており、受信した又は携帯電話２０が録画したコンテンツのうち、消去する予定のリストである消去リストを表示すると共に、録画予定のリストである録画管理画面を表示する表示操作部２１を有する。録画管理画面は、録画装置１０の選択部１２が生成した予定情報に基づき生成される。【選択図】図１
2009232349.tif 000002
【特許請求の範囲】
【請求項１】
コンテンツを録画する録画装置からデータを受信可能な情報処理装置であって、
受信した又は前記情報処理装置が録画したコンテンツのうち、消去する予定のリストである消去リストを表示すると共に、録画予定のリストである録画リストを表示する表示手段を有する情報処理装置。
【請求項２】
前記表示手段は、前記消去リストから選択された項目に対応するデータを圧縮して保存するか、削除するか、又はそのまま保存するかのいずれかを選択するメニューを表示する
ことを特徴とする請求項１記載の情報処理装置。
【請求項３】
前記表示手段は、前記データ圧縮、削除、又は保存の各予定実施後の、前記消去リスト及び録画リストに挙げられている各データのサイズを示すデータサイズ管理表を表示し、
前記データサイズ管理表には前記予定実施後の録画領域の空きサイズを示す予測残りサイズが表示される
ことを特徴とする請求項１又は２記載の情報処理装置。
【請求項４】
前記コンテンツを録画する他の録画装置とネットワークを介して接続され、
前記表示手段は、他人のデータ状況を示す他人録画管理画面を表示する
ことを特徴とする請求項１乃至３のいずれか１項記載の情報処理装置。
【請求項５】
前記他人の状況は、他人がデータを持っているか否かを示す情報である
ことを特徴とする請求項４記載の情報処理装置。
【請求項６】
前記他人の状況は、他人がデータを持ってないが視聴したがっていることを示す情報である
ことを特徴とする請求項４又は５記載の情報処理装置。
【請求項７】
前記他人の状況は、他人がデータを持っているが消去する予定であることを示す情報である
ことを特徴とする請求項４乃至６のいずれか１項記載の情報処理装置。
【請求項８】
前記他人の状況は、他人に対しデータを送信予定であることを示す情報である
ことを特徴とする請求項４乃至７のいずれか１項記載の情報処理装置。
【請求項９】
前記他人の状況は、他人に対しデータを受信可能なことを示す情報である
ことを特徴とする請求項４乃至８のいずれか１項記載の情報処理装置。
【請求項１０】
コンテンツを録画する録画装置からデータを受信可能な情報処理装置の制御方法であって、
受信した又は前記情報処理装置が録画したコンテンツのうち、消去する予定のリストである消去リストを表示すると共に、録画予定のリストである録画リストを表示手段に表示する情報処理装置の制御方法。
【請求項１１】
前記消去リストから選択された項目に対応するデータを圧縮して保存するか、削除するか、又はそのまま保存すかのいずれかを選択するメニューを前記表示手段に表示する
ことを特徴とする請求項１記載の情報処理装置の制御方法。
【請求項１２】
前記データ圧縮、削除、又は保存の各予定実施後の、前記消去リスト及び録画リストに挙げられている各データのサイズを示すデータサイズ管理表を前記表示手段に表示し、
前記データサイズ管理表には前記予定実施後の録画領域の空きサイズを示す予測残りサイズが表示される
ことを特徴とする請求項１又は２記載の情報処理装置の制御方法。
【請求項１３】
前記情報処理装置は、前記コンテンツを録画する他の録画装置とネットワークを介して接続され、
前記表示手段は、他人のデータ状況を示す他人録画管理画面を表示する
ことを特徴とする請求項１乃至３のいずれか１項記載の情報処理装置の制御方法。
【請求項１４】
前記他人の状況は、他人がデータを持っているか否かを示す情報である
ことを特徴とする請求項４記載の情報処理装置の制御方法。
【請求項１５】
前記他人の状況は、他人がデータを持ってないが視聴したがっていることを示す情報である
ことを特徴とする請求項４又は５記載の情報処理装置の制御方法。
【請求項１６】
前記他人の状況は、他人がデータを持っているが消去する予定であることを示す情報である
ことを特徴とする請求項４乃至６のいずれか１項記載の情報処理装置の制御方法。
【請求項１７】
前記他人の状況は、他人に対しデータを送信可能なことを示す情報である
ことを特徴とする請求項４乃至７のいずれか１項記載の情報処理装置の制御方法。
【請求項１８】
前記他人の状況は、他人に対しデータを受信可能なことを示す情報である
ことを特徴とする請求項４乃至８のいずれか１項記載の情報処理装置の制御方法。
【請求項１９】
所定の動作をコンピュータに実行させるためのプログラムであって、
コンテンツを録画する録画装置からデータ受信した又は情報処理装置が録画したコンテンツのうち、消去する予定のリストである消去リストを表示すると共に、録画予定のリストである録画リストを表示手段に表示するプログラム。
【請求項２０】
２以上の録画装置と接続されるミキサであって、
一の録画装置におけるデータ状況と、他の録画装置におけるデータ状況を混合し、前記一の録画装置で録画したコンテンツのうち、消去する予定のリストである消去リスト及び録画予定のリストである録画リストを表示すると共に、他人のデータ状況を表示するための混合予定情報を生成し、当該一の録画装置に送信する混合手段を有する、ミキサ。
【発明の詳細な説明】
【技術分野】
【０００１】
本発明は、録画されたコンテンツを利用又は消去する前に、ユーザのスケジュールなどの情報に応じてコンテンツを再生する情報処理装置、情報処理方法及びプログラム並びにミキサに関する。
【背景技術】
【０００２】
従来、コンテンツの再生スケジュールをユーザの嗜好や行動スケジュールに応じて作成し、複数のコンテンツを同じ時間に同時進行で再生する再生装置がある。例えば特許文献１に記載のコンテンツ再生装置は、入力されたコンテンツを蓄積するコンテンツ蓄積部と、コンテンツ蓄積部に蓄積されたコンテンツのうちの複数のコンテンツを同時に再生するための再生スケジュールを作成する再生スケジュール作成部と、再生スケジュールに従って同時に複数のコンテンツを再生するコンテンツ再生処理部と、コンテンツ再生処理部にて再生された複数のコンテンツのうち、ユーザからの出力指示の入力と再生スケジュールとに基づいて、出力すべきコンテンツを判定して出力するコンテンツ表示処理部とを備えている。
【０００３】
また、特許文献２には、音声データ記憶再生システムが開示されている。当該システムにおいては、ユーザは予め、再生予定の音声データ項目（楽曲名等）を個人用サーバ中からその再生予定順に選択しそれを端末内あるいはサーバ内に記憶する。あわせて再生予定の音声データ項目のうち一部再生順位高位の音声データ項目に対応する音声データをメモリ容量の許す範囲で再生順位順に端末内メモリに記憶し再生する。再生が終了した音声データは端末から消去し、消去によってできた端末内メモリ空き領域には再生予定の音声データ項目順位に従って次に記憶すべき音声データ項目に対応する音声データを記憶する。
ところで、従来の画像保存装置には、ユーザの設定や、その設定から予想される情報に応じてテレビの番組を自動的にとり貯める機能を持ったものがある。また、ネットワークを経由して、それら録画された情報を選択し、視聴する装置が実現されている。
【特許文献１】特開２００６−８５７７９号公報
【特許文献２】特開２００７−１１４４４０号公報
【発明の開示】
【発明が解決しようとする課題】
【０００４】
しかしながら、従来の、自動的に情報を取り貯める機能を有する画像保存装置をモバイル端末で制御することを考えた場合、以下の問題点がある。すなわち、第１の問題点は、沢山のコンテンツが溜まってきたときに、どのデータを保存し、どのデータを記録するかの取捨選択が困難である。特に自動的に保存されたものについては、未知な情報も含まれ、それを外出先のモバイル端末の画面、環境でゆっくりと選ぶことは困難である。
【０００５】
本発明は、このような問題点を解決するためになされたものであり、大量に保存された録画データを、主にモバイル環境において、効率よく活用するための情報処理装置及び情報処理方法を提供することを目的とする。
【課題を解決するための手段】
【０００６】
上述した課題を解決するために、本発明に係る情報処理装置は、コンテンツを録画する録画装置からデータを受信可能な情報処理装置であって、受信した又は前記情報処理装置が録画したコンテンツのうち、消去する予定のリストである消去リストを表示すると共に、録画予定のリストである録画リストを表示する表示手段を有するものである。
【０００７】
本発明に係る情報処理装置の制御方法は、コンテンツを録画する録画装置からデータを受信可能な情報処理装置の制御方法であって、受信した又は前記情報処理装置が録画したコンテンツのうち、消去する予定のリストである消去リストを表示すると共に、録画予定のリストである録画リストを表示手段に表示するものである。
【０００８】
本発明に係るプログラムは、所定の動作をコンピュータに実行させるためのプログラムであって、コンテンツを録画する録画装置からデータ受信した又は情報処理装置が録画したコンテンツのうち、消去する予定のリストである消去リストを表示すると共に、録画予定のリストである録画リストを表示手段に表示するものである。
【０００９】
本発明にかかるミキサは、２以上の録画装置と接続されるミキサであって、一の録画装置におけるデータ状況と、他の録画装置におけるデータ状況を混合し、前記一の録画装置で録画したコンテンツのうち、消去する予定のリストである消去リスト及び録画予定のリストである録画リストを表示すると共に、他人のデータ状況を表示するための混合予定情報を生成し、当該一の録画装置に送信する混合手段を有するものである。
【発明の効果】
【００１０】
本発明によれば、大量に保存された録画データを、主にモバイル環境において、効率よく活用するための情報処理装置、情報処理方法、プログラム及びミキサを提供することができる。
【発明を実施するための最良の形態】
【００１１】
[第１の実施の形態]
以下、本発明を適用した具体的な実施の形態について、図面を参照しながら詳細に説明する。本実施の形態は、本発明を、大量に保存された録画データを、主にモバイル環境において、効率よく活用するための録画システムに適用したものである。
【００１２】
図１は、本発明の実施の形態１にかかる録画システムを示す図である。録画システムは、録画装置１０と表示操作部２１を有する携帯電話２０とから構成される。録画装置１０は、保存部１１、選択部１２、及び操作実施部１３を有する。
【００１３】
携帯電話２０は、コンテンツを録画する録画装置１０からデータを受信可能である。携帯電話２０は、録画装置１０に録画したデータを削除したり保存したりの指示をすることで、録画装置１０の限られた記憶領域を効率よく使用することができる。
【００１４】
選択部１２は、図２に示す予定情報を作成する。予定情報は、録画したデータ又は録画する予定のデータを管理するための情報である。予定情報は、例えば、データ識別子、タイトル、保存日時、予定、サイズからなる。「データ識別子」は、録画データ（番組など）を各ブロックが一意に特定するための識別子である。「タイトル」は、録画データのタイトル（番組名など）である。「保存日時」は、録画を実行した日時、又は録画を実行する予定の日時である。「予定」は、録画予定のデータの場合は録画する、録画しない、を示すデータであり、録画データの場合は、保存する、圧縮して保存する、消去する、を示すデータであり、または他人のデータを参照したいことを示す参照を示すデータである。選択部１２は、生成した予定情報を操作実施部１３に送る。
【００１５】
操作実施部１３は、予定情報を保存する。また、表示操作部２１からユーザが入力した予定データに基づき予定変更指示を受け取り、この予定変更指示に基づき予定情報を更新する。図３は、予定変更指示の構成を示す図である。予定変更指示は、データ識別子と予定からなる。表示操作部２１は、ユーザ操作の結果から予定変更指示を作成して、操作実施部１３に送る。
【００１６】
保存部１１は、録画したコンテンツを保存する。図４は、保存データの構成を示す図である。たとえば、保存データは、データ識別子、タイトル、保存日時、サイズから構成される。
【００１７】
携帯電話２０の表示操作部２１は、予定情報を受け取ると、この予定情報に従って録画管理画面を生成する。図５は、本実施の形態にかかる録画システムにおける携帯電話の表示画面を示す図である。本実施の形態の携帯電話２０において、表示手段として機能する表示操作部２１は、受信した又は携帯電話２０（自身）が録画したコンテンツのうち、消去する予定のリストである消去リストを表示すると共に、録画予定のリストである録画リストを表示する。
【００１８】
図５に示すように、表示画面には、消す予定リストと、録画予定リストが並列に表示されている。本実施の形態にかかる携帯電話においては、例えば１日１回、その日の深夜０時に消去を実行する。この携帯電話においては、その際に実行される消去や圧縮の予定の設定を行う。
【００１９】
消す予定欄に表示されているものはその日の特定時間、例えば深夜０時に消去される予定のデータである。何も操作をしなければ、そのまま消去される。録画予定の欄に表示されるのはその日から近いうち（１週間など）に録画される予定のデータを示す。予定の欄には、そのデータに対して行われる予定の情報が表示される。
【００２０】
消す予定欄の予定の欄の表示が圧縮の場合、圧縮して画質サイズを落として保存する。メニューで"圧縮して保存"を選択した場合に設定される。また、保存の場合、消去しない。メニュで"消さない"を選択した場合に設定される。さらに、消去の場合、何も選択していない場合は、そのまま消去される。また、録画予定の欄の予定の欄の表示が、録画の場合、何も選択していない場合、予定通り録画される。また、中止の場合、メニュで"録画中止"を選択した場合、録画されない。
【００２１】
本実施の形態においては、消す予定と録画予定を並べて表示するので、両者を比較することができ、本当に必要なものだけを保存することが可能となる。
【００２２】
また、サイズの管理機能を持たせることができる。図６は、表示画面の他の例を示す図である。このように、サイズを別画面としてもよいし、上述の図５に示す録画管理画面に合わせて表示させてもよい。これにより、容量に余裕がない録画機において効率的なデータの管理が可能となる。
【００２３】
本実施の形態においては、録画装置と携帯電話２０とを別々の装置として記載しているが、携帯電話２０自身が録画してもよい。この場合、容量をなるべく小さくする必要がある。そこで、サイズ欄に表示される値は消す予定の場合は現状のサイズと、圧縮後のサイズの両方を表示するようにする。本例では、圧縮後の値を括弧内に記載している。録画予定の場合には、そのデータを保存した場合の予測サイズが表示される。予測残サイズには、予定実施後の録画領域の空きサイズが表示される。
【００２４】
次に、本実施の形態にかかる録画システムの動作について説明する。図７は、本実施の形態にかかる動作を示す図である。先ず、選択部１２は保存データを読み出す（ステップＳ１）。選択部１２は、保存データから消去データを決定し、録画データを決定して予定情報を作成する（ステップＳ２）。録画データは、ユーザの指定によって録画番組を決定してもよいし、キーワードを指定してそのキーワードが番組表に含まれる場合に録画するようにしてもよい。次に、予測サイズを録画時間などにより割り出し、これらの結果を予定情報として保持する。
【００２５】
保存部１１により保存データを読み出し、消去データを決定する。録画予定の予測サイズを合計し、予測合計サイズを求める。この場合、
予測合計サイズ＋消去後の予測保存サイズ＋マージン＜録画領域サイズ
を満たすように消去データを例えば古い順に選択する。マージンは予め適当な数値を設定しておけばよい。これらの結果を予定情報に追加する。そして、予定情報を操作実施部１３に送付する（ステップＳ３）。
【００２６】
操作実施部１３は、予定情報を保存する。そして、予定情報を表示操作部２１へ送付する（ステップＳ４）。表示操作部２１は、予定情報に従って図５に示す録画管理画面を作成し、表示する（ステップＳ５）。ユーザは録画管理画面を見て、視聴したい番組が消す予定に入っていないか、又は不要な番組が録画予定に入っていないかなどをチェックする（ステップＳ６）。消す予定の「予定」の欄をカーソルで選択すると、メニューとして、「今見る」、「消さない」、「圧縮して保存」が表示される。「今見る」を選択すると、当該番組が再生される。「消さない」を選択すると番組が保存される。また、「圧縮して保存」を選択するとデータが圧縮して保存される。なお、何も選択しない場合は、そのまま消される。
【００２７】
表示操作部２１は、ユーザ操作の結果を予定変更指示により操作実施部１３に通知する（ステップＳ７）。予定変更指示は、データ識別子と変更後の予定の内容を含む。操作実施部１３は、受け取った内容を元に、予定情報を書きかえる。そして、特定の時刻もしくは録画予定の番組の開始時刻になったら、操作実施部１３は、予定情報に従って保存部のデータを削除したり、録画データを保存したりする操作を実施し、予定情報を消す（ステップＳ８）。
【００２８】
本実施の形態においては、消す予定のリストと録画予定のリストを並列して表示するため、両者を比較することができ、本当に必要なものだけを保存することができる。また、データ圧縮、削除、又は保存の各予定実施後の、消去リスト及び録画リストに挙げられている各データのサイズを示すデータサイズ管理表を表示し、予定実施後の録画領域の空きサイズを示す予測残りサイズを表示するサイズ管理機能を持たせることにより、容量に余裕がない録画機においても効率的なデータの管理が可能となる。
【００２９】
[第２の実施の形態]
次に、本発明の第２の実施の形態について説明する。本実施の形態は、録画情報を他人とシェアすることにより、空き領域を有効に活用するものである。図８は、本実施の形態にかかる録画システムを示す図である。なお、図８に示す本実施の形態においては、図１に示す第１の実施の形態における録画システムと同一の構成要素には同一の符号を付しその詳細な説明は省略する。
【００３０】
図８に示すように、本実施の形態にかかる録画システムは、録画装置１０及び携帯電話２０の他に録画装置３０を有する。録画装置３０は、録画装置１０と同様に構成され、保存部３１、選択部３２、及び操作実施部３３を有する。携帯電話２０は、録画装置１０と録画装置３０の予定情報を受け取り、両者の混合情報を作成する予定ミキサ２２を有している。なお、本実施の形態においては、説明の簡単のため、携帯電話２０のみを図示しているが、録画装置３０に対応する携帯電話も設けるものとする。
【００３１】
図９は、携帯電話２０の表示操作部２１が生成する録画管理画面を示す図である。本実施の形態における録画管理画面には、イ）消す予定、ロ）録画予定の他に、ハ）共有状況も表示することができる。さらに、予定に表示される一覧のそれぞれの状況に対して他人のその情報の状況を追加して表示する。この他人のリストは、録画システムを共有する他人、例えば家族（父、母）、友人などである。本実施の形態においては、他人として、父、母、友人と録画システムを共有している例について説明する。父、母、友人は、それぞれ録画装置及び携帯電話を所有しているものとし、予定ミキサ２２は、父、母、友人の予定情報を取得し、これらの情報を混合する。このように、本実施の形態においては、複数人でシステムを共有することができる。この場合、共有状況欄の値を設定することができる。例えば、この共有状況欄の値が参照の場合、自分はデータを持っておらず、他人のデータを当てにしている状態を示すものとする。
【００３２】
表において、
×：データを持っていない
○：データを持っている
□：データを持っていないが見たがっている
△：データを持っているが消す予定
■：転送予定（送信）
▲：転送予定（受信）
☆：当てにしている
の状況をしめしている。同じデータを保持している人が一覧に表示されることで、既に他人が持っている場合にデータを消し易くなる。
【００３３】
たとえば、イ）の消す予定のニュースは、父と友人が持っており、母はデータをもっていない。ユーザは当該データを消去しても、父又は友人にデータを見せてもらうことができる。よって、記録容量に制限がある場合には、削除することも可能ということがわかる。ドラマＡは、父はデータを持っておらず、母は持っていないが見たがっており、友人は持っているが消す予定となっていることを示す。このままの状態とするとドラマＡは消去され、友人も消去するものと考えられ、ドラマＡが見たい場合には保存する必要があることがわかる。ここで、イ）の消す予定に、状況□（データを持っているが見たがっている）が含まれている場合、アラーム等でユーザに通知するものとすることができる。他人が必要としているデータを気づかないうちに消去してしまうことがないようにするためである。
【００３４】
ロ）の録画予定の時代劇Ａは父と友人がもっていないが、母がもっている又は録画予定であることがわかるので、記録容量に制限がある場合には、録画しないことを選択することも可能である。ハ）の共有状況には、自分はもっていない映像の他人の消去予定が表示される。バラエティーは父のみが持っているデータであるが、父が当該データを消そうとしていることがわかる。このようにハ）の共有状況に状況△（データを持っていないが見たがっている）が含まれている場合、アラーム等でユーザに通知することができる。他人が持っていると思っていたデータが気づかないうちに削除されてしまうことがないようにするためである。
【００３５】
図１０乃至図１４は、録画管理画面を示す図である。ユーザは子であるとして父、母、子（ユーザ）の３人でシステムを共有している場合の例について説明する。父、母の画面は子との関係のみ示すこととする。図１０（ａ）に示すように、母の消去予定一覧にあるニュースのデータを子が持っている。そこで、母は子のデータを見せてもらうものとし、子の状況を☆当てにしているとし、ニュースを消去したとする（図１０（ｂ））。
【００３６】
その後、あるタイミングで子がニュースを消去する予定になったとする（図１１（ａ））。この場合、父は持っているが消す予定、母は上述したように、持っていないが見たがっている状態である。そこで、ユーザ（子）は、ニュースを削除せず、母のために保存することができる（図１１（ｂ））。ここで、消す予定の欄の状況□を選択すると、メニューとして電話で知らせる、保存、人のデータを当てにして消す、圧縮して保存、引き取りなどの各種メニューが表示される（図１２）。また、共有情報の状況△を選択すると、メニューとして引き取る、電話でたのむ、などの各種メニューが表示される（図１３）。
【００３７】
図１４（ａ）に示すように、ユーザがニュースを消す予定になった後、メニューの引き取るを選択すると、転送予定の設定がなされる。そして、図１４（ｂ）に示すように、ユーザは■（転送予定（送信））となり、母は状況▲（転送予定（受信））となり、所定の時間になると転送が実施される。
【００３８】
次に、本実施の形態の動作について説明する。図１５は、本実施の形態にかかる動作を示すフローチャートである。録画装置１０及び携帯電話２０がユーザの所持する装置であって、録画装置３０が、友人が所持する装置とする。実施の形態１と同様に、保存部１１、３１からデータを読み出し(ステップＳ１)、選択部１２、３２は、予定情報を作成する(ステップＳ２)。すなわち、先ず、録画データを決定する。次に、予測サイズを録画時間などにより割り出し、これらの結果を予定情報として保持する。操作実施部１３、３３は予定情報を受け取り保存する(ステップＳ３)。
【００３９】
次に、携帯電話２０は、対応する録画装置１０の操作実施部１３より予定情報を読み出す。また、予め設定してある友人リスト（図１６）を読み込み、友人の操作実施部３３へアクセスし、予定情報を読み出す（ステップＳ１２）。さらに、友人の保存部３１より保存データを読み出す（ステップＳ１３）。友人リストは、友人名とアクセス先操作実施部情報から構成される。アクセス先操作実施情報は、アクセス先の操作実施部のアドレス情報である。
【００４０】
本人の予定情報で予定が圧縮、保存、消去のものを選ぶ。それぞれのデータ識別子について、予定ミキサ２２は、次のルールで状況を決定することで、混合予定情報（図１７）を作成する（ステップＳ１４）。混合予定情報は、データ識別子、友人名、状況から構成され、予定ミキサ２２に保存される。
【００４１】
図１８は、混合予定情報を作成する方法を示す図である。注目のデータが友人の保存データにある場合（ステップＳ３１）、友人の予定情報にあり、予定が消去である場合は状況△（データを持っているが消す予定）とする。一方、ステップＳ３２がＮｏであって、自分の参照情報（図１９）にある場合は状況☆（当てにしている）とする（ステップＳ３３）。参照情報は、ユーザがデータを持っておらず、他人のデータを当てにしたいときに、それを表示操作部２１から予定ミキサにデータ識別子と、予定を参照として指示を出す。予定ミキサは、データ識別子とコマンド予定：参照を操作実施部１３に転送する。操作実施部１３は、参照情報に受信したデータ識別子と、対応するタイトルを予定情報から読み出し、書き込む。このように、参照情報は、操作実施部１３が、生成して保存しているデータである。自分の参照情報にもない場合は状況○（データを持っている）とする。
【００４２】
また、友人の保存データになく、友人の参照情報にある場合（ステップＳ３４：Ｙｅｓ）、自分の転送リストの転送元にある場合は、状況■（転送予定（送信））とする。友人の参照情報にない場合（ステップＳ３４：Ｎｏ）は状況×（データを持っていない）にし、自分の転送リストの転送元にない場合（ステップＳ３５：Ｎｏ）、状況□（データを持っていないが見たがっている）にする。得られた結果を混合予定情報に保存する。
【００４３】
そして、本人の予定情報で予定が録画、中止のものを選ぶ。それぞれのデータ識別子について次のルールで状況を決定する。図２０は、混合予定情報を作成する方法を示す図である。注目データが友人の保存データにある場合、状況○（データを持っている）とする（ステップＳ４１）。友人の保存データにはなく、予定情報にあり、かつ予定が録画のものは状況○（データを持っている）とする（ステップＳ４２）。友人の保存データにはなく、予定情報にあり、かつ予定が録画ではない場合、状況×（データを持っていない）とする。得られた状況を混合予定情報に書き込む。
【００４４】
さらに、本人の参照情報の識別子のそれぞれについて状況を決定する。図２１は、混合予定情報を作成する方法を示す図である。注目データが友人の予定情報にあり、かつ予定が消去である場合（ステップＳ５１：Ｙｅｓ）であって、自分の転送リスト（図２２）の転送先にある場合、状況▲（転送予定（受信））とする（ステップＳ５２）。転送リストは、データ識別子と友人名と、転送先か転送元かを示す情報から構成される。この転送リストは操作実施部１３に保存されている。自分の転送リストの転送先にない場合は、状況△（データを持っているが消す予定）とする。ステップＳ５１でＮｏの場合、友人の保存データにあれば状況○（データを持っている）（ステップＳ５３：Ｙｅｓ）、友人の保存データになければ状況×（データを持っていない）とする。結果を混合予定情報に書き込む。ここでの動作を友人リストの友人の分だけ繰り返す。
【００４５】
このとき、参照情報のデータを使用して、予定情報に予定が「参照」の情報として追加する。この場合、サイズは０とし、保存日時は空欄とすればよい。以上のようにして完成した混合予定情報を保存する。またそれぞれのユーザの予定情報、参照情報も予定ミキサ２２に保存する。参照情報を予定情報に追加することで、図９に示す共有情報の表示が可能となる。共有状況に表示されるデータは、自身で保持していないデータである。
【００４６】
次に、表示操作部２１は、予定ミキサ２２から混合予定情報を読み出し、また、ユーザの予定情報を読み出し、録画管理画面を作成して表示する（ステップＳ１６）。ユーザが上述した各操作を行い（ステップＳ１７）、表示操作部２１は、それを予定変更指示として予定ミキサ２２に伝える（ステップＳ１８）、予定ミキサは指示をそれぞれのユーザへ変更指示として振り分け、各操作実施部へ通知する（ステップＳ２０）。また、予定ミキサ２２は、状況が変更になったため、混合予定情報を作り直すよう操作実施部３３を介して、録画装置３０に対応する予定ミキサに更新指示を出す（ステップＳ２１、Ｓ２２）。
【００４７】
たとえば、図１１に示した例では、予定ミキサ２２はデータ識別子と予定を「保存」として予定変更指示を受け取る。操作実施部１３にデータ識別子と「保存」予定を通知する。それに応じて操作実施部１３は予定情報を更新する。操作実施部１３は、操作実施部３３に「参照」の更新を指示する。このとき、被参照友人リスト（図２２）に基づき更新を指示する。被参照友人リストは、友人名と、通知先の予定ミキサ情報と、アクセス先操作実施部情報から構成される。通知先の予定ミキサ情報は、更新を通知する予定ミキサのアドレス情報である。アクセス先操作実施部情報は、アクセス先の操作実施部のアドレス情報である。操作実施部３３は対応する予定ミキサに更新の指示をする。この予定ミキサはステップＳ１４を実施し、混合予定情報を更新する。
【００４８】
また、図１０に示した例では、予定ミキサ２２はデータ識別子と予定を参照して指示を受ける。操作実施部１３にデータ識別子と予定が参照を転送する。操作実施部１３は参照情報に受信したデータ識別子と対応するタイトルを書き込む。タイトルは予定情報から取得する。そして、操作実施部１３は、操作実施部３３に「参照」の更新を指示する。操作実施部３３は対応する予定ミキサに更新の指示をする。この予定ミキサはステップＳ１４を実施し、混合予定情報を更新する。
【００４９】
図２２は、引き取り動作を示す図である。図１４に示す場合、表示操作部２１からユーザの操作が入力され、表示操作部２１は、これを予定変更指示として、予定ミキサ２２にデータ識別子、動作指示「取引」、及び引き取り先の友人名が通知される。予定ミキサ２２は、操作実施部１３にこれを転送する（ステップＳ６１）。操作実施部１３は、受信した情報を元にして転送リストを作成する。転送先元には、「先」が設定される。予定ミキサ２２は同時に操作実施部３３にデータ識別子、動作指示「引受」、及び引き取り先の友人名（携帯電話２０のユーザの名前）を送付する（ステップＳ６２）。このとき、被参照友人リストを参照する（図２３）。被参照友人リストは、友人名、アクセス先操作実施部情報からなる。操作実施部３３は、受信した情報を元にして、転送リストを作成する。転送先には「元」が設定される。転送リストに従って操作実施部３３は、保存部３１からデータを読み出し（ステップＳ６３）、操作実施部１３にデータを転送し（ステップＳ６４）、操作実施部１３はデータを保存部１１に書き込む（ステップＳ６５）。そして、操作実施部１３は、操作実施部３３に「参照」の更新を指示する。操作実施部３３は対応する予定ミキサに更新の指示をする。この予定ミキサはステップＳ１４を実施し、混合予定情報を更新する。
【００５０】
［第３の実施の形態］
次に、本発明の第３の実施の形態について説明する。図２４は、本実施の形態にかかる録画システムを示す図である。図２４に示すように、携帯電話２０は、保存部１１、選択部１２、操作実施部１３、及び表示操作部２１を有する。録画装置３０は、保存部３１、選択部３２及び操作実施部３３を有する。さらに、携帯電話２０が、録画装置３０の録画データを参照して活用するために予定を混合する予定ミキサ４０が、携帯電話２０及び録画装置３０とネットワークを介して接続されている。予定ミキサ４０はネットワーク上に設けられるサービスサーバ等からなる。
【００５１】
本実施の形態においても、予定ミキサ４０は、携帯電話２０にて録画されたデータの録画情報と、録画装置３０にて録画されたデータの録画情報を混合する。これにより、例えば自分が見たい番組があって、自身の記憶容量がいっぱいであるときなどに、録画装置３０のデータを利用することで実際に録画せずにおくことができ、限られた記憶容量を有効活用することができる。
【００５２】
なお、本発明は上述した実施の形態のみに限定されるものではなく、本発明の要旨を逸脱しない範囲において種々の変更が可能であることは勿論である。
【００５３】
例えば、上述の実施の形態では、ハードウェアの構成として説明したが、これに限定されるものではなく、任意の処理を、ＣＰＵ（Central Processing Unit）にコンピュータプログラムを実行させることにより実現することも可能である。この場合、コンピュータプログラムは、記録媒体に記録して提供することも可能であり、また、インターネットその他の伝送媒体を介して伝送することにより提供することも可能である。
【図面の簡単な説明】
【００５４】
【図１】本発明の第１の実施の形態にかかる録画システムを示す図である。
【図２】予定情報の構成を示す図である。
【図３】予定変更指示の構成を示す図である。
【図４】保存データの構成を示す図である。
【図５】本発明の実施の形態にかかる録画システムにおける携帯電話の表示画面を示す図である。
【図６】表示画面の他の例を示す図である。
【図７】本発明の第１の実施の形態にかかる動作を示す図である。
【図８】本発明の第２の実施の形態にかかる録画システムを示す図である。
【図９】携帯電話の表示操作部が生成する録画管理画面を示す図である。
【図１０】本発明の第２の実施の形態にかかる録画管理画面を示す図である。
【図１１】本発明の第２の実施の形態にかかる録画管理画面を示す図である。
【図１２】本発明の第２の実施の形態にかかる録画管理画面を示す図である。
【図１３】本発明の第２の実施の形態にかかる録画管理画面を示す図である。
【図１４】本発明の第２の実施の形態にかかる録画管理画面を示す図である。
【図１５】本発明の第２の実施の形態にかかる動作を示すフローチャートである。
【図１６】友人リストの構成を示す図である。
【図１７】混合予定情報の構成を示す図である。
【図１８】本発明の第２の実施の形態における混合予定情報を作成する方法を示す図である。
【図１９】参照情報の構成を示す図である。
【図２０】混合予定情報を作成する方法を示す図である。
【図２１】混合予定情報を作成する方法を示す図である。
【図２２】転送リストの構成を示す図である。
【図２３】被参照友人リストの構成を示す図である。
【図２４】本発明の第３の実施の形態にかかる録画システムを示す図である。
【符号の説明】
【００５５】
１０  録画装置
１１  保存部
１２  選択部
１３  操作実施部
２０  携帯電話
２１  表示操作部
２２  予定ミキサ
３０  録画装置
３１  保存部
３２  選択部
３３  操作実施部
４０  予定ミキサ
【図１】
2009232349.tif 000003
【図２】
2009232349.tif 000004
【図３】
2009232349.tif 000005
【図４】
2009232349.tif 000006
【図５】
2009232349.tif 000007
【図６】
2009232349.tif 000008
【図７】
2009232349.tif 000009
【図８】
2009232349.tif 000010
【図９】
2009232349.tif 000011
【図１０】
2009232349.tif 000012
【図１１】
2009232349.tif 000013
【図１２】
2009232349.tif 000014
【図１３】
2009232349.tif 000015
【図１４】
2009232349.tif 000016
【図１５】
2009232349.tif 000017
【図１６】
2009232349.tif 000018
【図１７】
2009232349.tif 000019
【図１８】
2009232349.tif 000020
【図１９】
2009232349.tif 000021
【図２０】
2009232349.tif 000022
【図２１】
2009232349.tif 000023
【図２２】
2009232349.tif 000024
【図２３】
2009232349.tif 000025
【図２４】
2009232349.tif 000026